(57)【要約】【課題】量水器を量水器ボックスの内部の予め決められた位置に容易に固定するための量水器固定装置を提供する。【解決手段】量水器固定装置は、量水器ボックスの内部において水平に位置する板状部材の上面に取り付けられると共に、量水器の本体部分が特定の位置に載置される板状の台部材と、台部材に取り付けられ、量水器の本体部分が台部材の特定の位置に載置される場合に量水器の本体部分の側面部における流入側接続用管と流出側接続用管とによって区分されている二つの領域のうちの一方を覆う第１カバー部材と、台部材に取り付けられ、量水器の本体部分が台部材の特定の位置に載置される場合に量水器の本体部分の側面部における上記二つの領域のうちの他方を覆う第２カバー部材と、を有する。【選択図】図５
2014109094.tif 000002
【特許請求の範囲】
【請求項１】
本体部分の側面部に流入側接続用管及び流出側接続用管が設けられている量水器を量水器ボックスの内部の予め決められた位置に固定するための量水器固定装置であって、
前記量水器ボックスの内部において水平に位置する板状部材の上面に取り付けられると共に、前記量水器の前記本体部分が特定の位置に載置される板状の台部材と、
前記台部材に取り付けられ、前記量水器の前記本体部分が前記台部材の前記特定の位置に載置される場合に前記量水器の前記本体部分の側面部における前記流入側接続用管と前記流出側接続用管とによって区分されている二つの領域のうちの一方を覆う第１カバー部材と、
前記台部材に取り付けられ、前記量水器の前記本体部分が前記台部材の前記特定の位置に載置される場合に前記量水器の前記本体部分の側面部における前記二つの領域のうちの他方を覆う第２カバー部材と
を備える量水器固定装置。
【請求項２】
前記台部材と前記第１カバー部材の外面部とを接続する第１リブと、
前記台部材と前記第２カバー部材の外面部とを接続する第２リブと
を更に備える請求項１に記載の量水器固定装置。
【発明の詳細な説明】
【技術分野】
【０００１】
本発明は、量水器を量水器ボックスの内部の予め決められた位置に固定するための量水器固定装置に関する。
【背景技術】
【０００２】
水道水を使用する住宅や設備等には、使用された水の量を計測するための量水器が配置される。量水器は、地中に埋設されている給水管と接続されるので地中に配置される。事業者は、使用された水の量の情報を取得するために定期的に量水器の検針を行う。事業者は、計量法の規定に基づき一定の期間毎に量水器を交換する。
【０００３】
量水器は、大部分が地中に埋設された量水器ボックスの内部に配置される（例えば、特許文献１参照）。寒冷地では、給水管は、給水管の内部を流れる水が凍結することを防止するために、地表からある程度深い場所であって地熱を十分に利用することができる場所に埋設される。そのため、例えば北海道の南部地区から東北地方にかけての寒冷地では、地表に面する蓋部材から底部までがある程度の距離、例えば６００ｍｍ程度である量水器ボックスが用いられる。
【０００４】
加えて、上述の寒冷地では、冬季において地上の寒気が量水器ボックスの内部に多く流入して給水管や量水器等を流れる水が凍結することを防止するために、量水器ボックスの蓋部材は小さい。例えば、蓋部材の大きさは、縦の長さが３００ｍｍから４００ｍｍ程度であって、横の長さが４００ｍｍから５００ｍｍ程度である。そのため、上述の寒冷地において使用される量水器ボックスの筒部は、人間の片腕が入る程度であり細長い。
【先行技術文献】
【特許文献】
【０００５】
【特許文献１】特開２００３−５６０１６号公報
【発明の概要】
【発明が解決しようとする課題】
【０００６】
上述の通り、量水器は一定の期間毎に交換する必要がある。量水器を交換する際、つまり古い量水器を取り外して新しい量水器を量水器ボックスに取り付ける際、漏水を防止するために、新しい量水器の本体部分の側面部に設けられている流入側接続用管と給水管とを確実に接続すると共に、新しい量水器の本体部分の側面部に設けられている流出側接続用管と住宅や設備等の取水管とを確実に接続しなければならない。加えて、使用された水の量を正確に計測するために、量水器の本体部分に設けられている流量計を水平に位置させなければならない。つまり、向きを考慮した上で量水器を量水器ボックスの内部の予め決められた位置に配置する必要がある。
【０００７】
上述の寒冷地において使用されている量水器ボックスにおける筒部には、上述の通り人間の片腕が入る程度の空間しか存在しない。そのため、量水器を交換する作業者は片手により交換作業を行う必要がある。片手による交換作業は、非常に困難な作業である。ましてや、量水器の向きを考慮した上で量水器を量水器ボックスの内部の予め決められた位置に片手で配置することは非常に困難である。
【０００８】
本発明は、量水器を量水器ボックスの内部の予め決められた位置に容易に固定するための量水器固定装置を提供することを目的とする。
【課題を解決するための手段】
【０００９】
本発明のある態様の量水器固定装置は、本体部分の側面部に流入側接続用管及び流出側接続用管が設けられている量水器を量水器ボックスの内部の予め決められた位置に固定するための装置であって、量水器ボックスの内部において水平に位置する板状部材の上面に取り付けられると共に、量水器の本体部分が特定の位置に載置される板状の台部材と、台部材に取り付けられ、量水器の本体部分が台部材の特定の位置に載置される場合に量水器の本体部分の側面部における流入側接続用管と流出側接続用管とによって区分されている二つの領域のうちの一方を覆う第１カバー部材と、台部材に取り付けられ、量水器の本体部分が台部材の特定の位置に載置される場合に量水器の本体部分の側面部における上述の二つの領域のうちの他方を覆う第２カバー部材とを有する。
【００１０】
量水器固定装置は、台部材と第１カバー部材の外面部とを接続する第１リブと、台部材と第２カバー部材の外面部とを接続する第２リブとを更に有してもよい。
【発明の効果】
【００１１】
本発明によれば、量水器ボックスの内部の予め決められた位置に量水器を容易に固定することができる。
【図面の簡単な説明】
【００１２】
【図１】実施の形態における量水器の斜視図である。
【図２】実施の形態における量水器ボックスの断面図である。
【図３】図２における量水器ボックスの底部の近傍部分を示す斜視図である。
【図４】図３における量水器ボックスの底部の近傍部分の分解斜視図である。
【図５】本発明の実施の形態の量水器固定装置の斜視図である。
【図６】図１に示す量水器が図５に示す量水器固定装置における台部材の特定の位置に載置された状況を示す図である。
【発明を実施するための形態】
【００１３】
以下に、本発明の実施の形態について、図面を参照して説明する。本発明に係る量水器固定装置は、量水器を量水器ボックスの内部の予め決められた位置に固定するための装置であって、実施の形態の量水器固定装置を説明する前に量水器及び量水器ボックスを説明した方が実施の形態の量水器固定装置を理解し易くなる。そのため、実施の形態の量水器固定装置を説明する前に、量水器及び量水器ボックスを説明する。
【００１４】
図１は、実施の形態における量水器Ａの斜視図である。量水器Ａは使用された水の量を計測する装置であって、地中に埋設されている給水管と接続される流入側接続用管Ａ２と、住宅や設備等の地中に埋設されている取水管と接続される流出側接続用管Ａ３とを有する。流入側接続用管Ａ２及び流出側接続用管Ａ３は、それらが一つの直線上に位置するように、量水器Ａの本体部分Ａ１の側面部に設けられている。本体部分Ａ１は、量水器Ａのうちの流入側接続用管Ａ２及び流出側接続用管Ａ３を除く部分である。本体部分Ａ１は、羽根車等が用いられた流量計を内部に有しており、流量計は上述の一つの直線上において流入側接続用管Ａ２と流出側接続用管Ａ３とに挟まれるように本体部分Ａ１の内部に配置されている。そのため、給水管からの水道水は、流入側接続用管Ａ２、流量計、流出側接続用管Ａ３及び取水管をその順に流れ、量水器Ａは流量計を用いて住宅や設備等において使用された水の量を計測する。流量計は図示されていない。
【００１５】
図２は実施の形態における量水器ボックスＢの断面図であり、図３は図２における量水器ボックスＢの底部の近傍部分を示す斜視図であり、図４は図３における量水器ボックスＢの底部の近傍部分の分解斜視図である。量水器ボックスＢは、主要部が地中に配置され、図１に示す量水器Ａを保護するためのものであって、底部Ｂ１と、筒部Ｂ２と、蓋部材Ｂ３とを有する。底部Ｂ１と筒部Ｂ２とは、互いに相手方に固定されている。底部Ｂ１は、地中に配置される平面状の板部材である。筒部Ｂ２は底部Ｂ１の上面に位置し、地中に配置され、底部Ｂ１及び蓋部材Ｂ３と共に空間を形成する。蓋部材Ｂ３は、実質的に地表に面する板状の部材であって、筒部Ｂ２における地表側の端部を覆うと共に回動可能となるように、筒部Ｂ２における地表側の端部に取り付けられている。
【００１６】
実施の形態における量水器ボックスＢの筒部Ｂ２の高さｈは長く、例えば６００ｍｍ程度である。底部Ｂ１及び蓋部材Ｂ３の大きさはいずれも、例えば、縦の長さが３００ｍｍから４００ｍｍ程度であって、横の長さが４００ｍｍから５００ｍｍ程度である。すなわち、量水器ボックスＢの内部の空間は細長く、人間の片腕が入る程度の大きさである。更に言うと、量水器ボックスＢの蓋部材Ｂ３が取り付けられている側の端部から底部Ｂ１までの長さは、人が蓋部材Ｂ３が取り付けられている側の端部から量水器ボックスＢの内部に腕を入れた場合に掌が底部Ｂ１に届く程度の長さである。つまり、人が量水器Ａを量水器ボックスＢに配置する場合、片腕のみで量水器Ａを量水器ボックスＢに配置する必要がある。
【００１７】
図３に示す通り、筒部Ｂ２における底部Ｂ１の近傍には、地中に埋設された給水管の一端を量水器ボックスＢの内部に通すための給水管用孔Ｂ２１と、住宅や設備等の取水管の一端を量水器ボックスＢの内部に通すための取水管用孔Ｂ２２とが形成されている。給水管用孔Ｂ２１と取水管用孔Ｂ２２とは、対向するように筒部Ｂ２に形成されている。量水器ボックスＢが地中に配置される際、給水管用孔Ｂ２１に給水管の一端が通され、取水管用孔Ｂ２２に取水管の一端が通される。なお、図４に示す通り、筒部Ｂ２における底部Ｂ１の近傍は、上下に分離可能な上部Ｂ４と下部Ｂ５とが接続されることによって形成されている。上部Ｂ４は給水管用孔Ｂ２１及び取水管用孔Ｂ２２の上方の外縁部を有し、下部Ｂ５は給水管用孔Ｂ２１及び取水管用孔Ｂ２２の下方の外縁部を有する。
【００１８】
図５は、本発明の実施の形態の量水器固定装置１の斜視図である。量水器固定装置１は、図１に示す量水器Ａを、図２から４に示す量水器ボックスＢの内部の予め決められた位置に固定するための装置である。量水器固定装置１は、台部材２と、第１カバー部材３と、第２カバー部材４と、第１リブ５と、第２リブ６とを有する。量水器固定装置１は、樹脂材料によって形成されている。樹脂材料は、例えば硬質ポリエチレンを主とする材料である。実施の形態における量水器固定装置１は、上述の量水器ボックスＢの内部に配置される。
【００１９】
台部材２は、量水器ボックスＢの内部における平面状の底部Ｂ１に取り付けられる板状の部材である。台部材２は、例えばネジ等の締結部材や接着剤等によって底部Ｂ１に取り付けられる。台部材２の特定の部位には、量水器Ａの本体部分Ａ１が載置される。第１カバー部材３は、台部材２における一方の面に、例えば接着剤等によって取り付けられているものである。第１カバー部材３は、量水器Ａの本体部分Ａ１が台部材２の特定の部位に載置される場合に量水器Ａの本体部分Ａ１の側面部における流入側接続用管Ａ２と流出側接続用管Ａ３とによって区分されている二つの領域のうちの一方を覆う。
【００２０】
第２カバー部材４は、台部材２における上記一方の面に、例えば接着剤等によって取り付けられているものである。第２カバー部材４は、量水器Ａの本体部分Ａ１が台部材２の特定の部位に載置される場合に量水器Ａの本体部分Ａ１の側面部における流入側接続用管Ａ２と流出側接続用管Ａ３とによって区分されている上述の二つの領域のうちの他方を覆う。第１カバー部材３及び第２カバー部材４はいずれも筒の一部のようなものであって、互いに相手に対して凹となるように湾曲している。つまり、第１カバー部材３及び第２カバー部材４は、量水器Ａの本体部分Ａ１を囲むための筒のようなものであって、筒の軸は台部材２と直交していて、かつ筒の２箇所において鉛直方向に欠けた部分が形成されている構造体の一方と他方である。第１カバー部材３及び第２カバー部材４は、上述の通り構成されており、量水器Ａの本体部分Ａ１の側面部の大部分を囲む。
【００２１】
第１カバー部材３と第２カバー部材４とによって形成されている２つの隙間の一方には、すなわち上述の鉛直方向に欠けた２つの部分の一方には、台部材２が量水器ボックスＢの底部Ｂ１に取り付けられ、かつ量水器Ａの本体部分Ａ１が第１カバー部材３と第２カバー部材４とによって囲まれる空間の内部であって台部材２の特定の部位上に載置された場合、量水器Ａにおける流入側接続用管Ａ２及び流出側接続用管Ａ３の一方が位置する。
【００２２】
第１カバー部材３と第２カバー部材４とによって形成されている２つの隙間の他方には、すなわち上述の鉛直方向に欠けた２つの部分の他方には、台部材２が量水器ボックスＢの底部Ｂ１に取り付けられ、かつ量水器Ａの本体部分Ａ１が第１カバー部材３と第２カバー部材４とによって囲まれる空間の内部であって台部材２の特定の部位上に載置された場合、量水器Ａにおける流入側接続用管Ａ２及び流出側接続用管Ａ３の他方が位置する。以下では説明を簡単に行うために、第１カバー部材３と第２カバー部材４とによって形成されている２つの隙間の一方を「第１隙間７」と記載し、第１隙間７には流入側接続用管Ａ２が位置すると仮定する。同様に、上述の２つの隙間の他方を「第２隙間８」と記載し、第２隙間８には流出側接続用管Ａ３が位置すると仮定する。
【００２３】
第１リブ５は、台部材２における上記一方の面と第１カバー部材３の外面部とを接続する板状の部材であって、例えば接着剤によって台部材２と第１カバー部材３とに取り付けられている。第２リブ６は、台部材２における上記一方の面と第２カバー部材４の外面部とを接続する板状の部材であって、例えば接着剤によって台部材２と第２カバー部材４とに取り付けられている。第１リブ５及び第２リブ６はいずれも、台部材２と直交するように配置されており、実施の形態では両平面が三角形である板状部材である。第１リブ５は第１カバー部材３の機械的強度を高くし、第２リブ６は第２カバー部材４の機械的強度を高くするためのものである。
【００２４】
次に、実施の形態の量水器固定装置１の使用方法と、量水器固定装置１が奏する効果とを説明する。
【００２５】
実施の形態の量水器固定装置１は、例えば北海道の南部地区から東北地方にかけての寒冷地において使用され、図２から４に示す量水器ボックスＢの内部に配置される。まず、図２から４に示す量水器ボックスＢを地中に埋設するステップを説明する。量水器ボックスＢを地中に埋設する際、給水管の一端が量水器ボックスＢにおける給水管用孔Ｂ２１を介して量水器ボックスＢの内部に延び、かつ取水管の一端が量水器ボックスＢにおける取水管用孔Ｂ２２を介して量水器ボックスＢの内部に延びるように、量水器ボックスＢを地中に埋設する。加えて、量水器ボックスＢにおける底部Ｂ１が水平となるように、量水器ボックスＢを地中に埋設する。
【００２６】
さらに、量水器ボックスＢを地中に埋設する場合、量水器固定装置１における台部材２の裏面を量水器ボックスＢにおける底部Ｂ１の内側の面に締結部材又は接着剤等により取り付ける。台部材２の裏面は、台部材２における２つの平面のうちの第１カバー部材３、第２カバー部材４、第１リブ５及び第２リブ６が取り付けられていない方の面である。台部材２の裏面を量水器ボックスＢにおける底部Ｂ１に取り付ける際、量水器固定装置１における第１カバー部材３と第２カバー部材４とによって形成されている２つの隙間の一方、すなわち第１隙間７が量水器ボックスＢの内部に延びている給水管の一端と対向し、かつ上述の２つの隙間の他方、すなわち第２隙間８が量水器ボックスＢの内部に延びている給水管の一端と対向するように、量水器固定装置１を量水器ボックスＢにおける底部Ｂ１に取り付ける。
【００２７】
量水器ボックスＢの底部Ｂ１に量水器固定装置１が取り付けられた状態で量水器ボックスＢが地中に埋設された後、作業者は、量水器ボックスＢにおける蓋部材Ｂ３を回動して量水器ボックスＢの空間を地表に晒し、量水器Ａを片手で持ち、量水器Ａを量水器ボックスＢの空間に入れる。そして、作業者は、量水器Ａを台部材２の特定の位置に載置する。具体的には、作業者は、量水器Ａの本体部分Ａ１を、本体部分Ａ１の底部から、量水器固定装置１における第１カバー部材３と第２カバー部材４とによって囲まれている空間に入れる。加えて、図６に示すように、作業者は、量水器Ａにおける流入側接続用管Ａ２を、給水管の一端と接続させることができるように第１隙間７に位置させると共に、量水器Ａにおける流出側接続用管Ａ３を、取水管の一端と接続させることができるように第２隙間８に位置させる。そのようにして、作業者は、量水器Ａを台部材２の特定の位置に載置する。図６は、図１に示す量水器Ａが図５に示す量水器固定装置１における台部材２の特定の位置に載置された状況を示す図である。図６には、図面を簡素化するために給水管及び取水管は示されていない。
【００２８】
作業者は、量水器Ａにおける流入側接続用管Ａ２及び流出側接続用管Ａ３の位置を理解し、給水管及び給水管のそれぞれの位置を大まかに理解した上で、量水器Ａの本体部分Ａ１を、本体部分Ａ１の底部から量水器固定装置１における第１カバー部材３と第２カバー部材４とによって囲まれている空間に入れる。第１カバー部材３及び第２カバー部材４は台部材２から鉛直上方に突出しており、かつ第１カバー部材３と第２カバー部材４とによって囲まれている空間は量水器Ａの本体部分Ａ１の側面部の大部分を囲むことができる大きさを有しているので、作業者は、上述の空間に本体部分Ａ１を容易に入れることができる。その作業により、作業者は、量水器Ａにおける流入側接続用管Ａ２を給水管の一端と容易に対向させ、かつ流出側接続用管Ａ３を取水管の一端と容易に対向させることができる。したがって、量水器固定装置１が量水器ボックスＢの底部Ｂ１に取り付けられているので、作業者は、量水器Ａを量水器ボックスＢの内部の予め決められた位置に容易に固定することができる。
【００２９】
流入側接続用管Ａ２は給水管の一端と対向しているので、作業者は片手であっても流入側接続用管Ａ２と給水管の一端とを容易にかつ確実に接続することができる。同様に、流出側接続用管Ａ３は取水管の一端と対向しているので、作業者は片手であっても流出側接続用管Ａ３と取水管の一端とを容易にかつ確実に接続することができる。流入側接続用管Ａ２と給水管の一端とが確実に接続されると共に、流出側接続用管Ａ３と取水管の一端とが確実に接続されるので、流入側接続用管Ａ２と給水管との接続部位においても、流出側接続用管Ａ３と取水管との接続部位においても、漏水を防ぐことができる。
【００３０】
加えて、量水器固定装置１における台部材２は板状の部材であって、量水器ボックスＢにおける底部Ｂ１も板状の部材であり、底部Ｂ１は地中において水平に位置している。そのため、作業者は、量水器Ａの本体部分Ａ１を、量水器固定装置１における第１カバー部材３と第２カバー部材４とによって囲まれている空間に入れて台部材２に載置するだけで、本体部分Ａ１を水平に位置させることができる。つまり、作業者は、量水器Ａの本体部分Ａ１を台部材２に載置するだけで、本体部分Ａ１の内部に設けられている流量計を水平に位置させることができる。それにより、量水器Ａを用いて使用された水の量を正確に計測することができる。
【００３１】
上述の通り、量水器固定装置１には、第１カバー部材３と第２カバー部材４とによって形成されている２つの隙間、すなわち第１隙間７及び第２隙間８が形成されているので、従来と同様に、作業者は片手を用いて量水器Ａを量水器固定装置１から容易に取り外すことができる。つまり、作業者は片手を用いて量水器Ａを量水器ボックスＢから容易に取り外すことができる。したがって、量水器固定装置１を用いることにより、量水器Ａの交換を容易に行うことができる。加えて、上述の通り、作業者は、量水器Ａを量水器ボックスＢの内部の予め決められた位置に容易に固定することができるので、量水器Ａの交換を短時間で行うことができる。
【００３２】
実施の形態の量水器固定装置１は、硬質ポリエチレンを主とする樹脂材料によって形成されているので柔軟性を有しており、そのため冬季においても割れにくい。
【００３３】
なお、上述した実施の形態では、台部材２は、量水器ボックスＢの内部における平面状の底部Ｂ１に取り付けられる。しかしながら、台部材２は、底部Ｂ１以外のものであって、量水器ボックスＢの内部において水平に位置する板状部材の上面に取り付けられてもよい。板状部材は、棒状物が面状に並べられたようなものを含む。更に言うと、板状部材は、鉛直方向に孔が形成されている板状のものを含む。
【００３４】
上述した実施の形態では、量水器固定装置１は例えば北海道の南部地区から東北地方にかけての寒冷地において使用される。しかしながら、量水器固定装置１は関東や関西等の寒冷地以外の地域において使用されてもよい。関東や関西等の寒冷地以外の地域の多くでは、水が凍結することはほとんどないので、給水管は寒冷地に比べて地中の浅い部分に埋設される。その場合であっても、量水器固定装置１を使用することによって、作業者は量水器Ａを容易に交換することができる。
【００３５】
上述した実施の形態では、量水器固定装置１は例えば樹脂材料によって形成されており、樹脂材料は例えば硬質ポリエチレンを主とする材料である。しかしながら、量水器固定装置１は樹脂材料によって形成された装置であるとは限定されない。量水器固定装置１は、鉄鋼等の金属材料によって形成された装置であってもよい。
【００３６】
上述した実施の形態では、量水器固定装置１において、第１カバー部材３、第２カバー部材４、第１リブ５及び第２リブ６はいずれも台部材２に取り付けられている。しかしながら、台部材２、第１カバー部材３、第２カバー部材４、第１リブ５及び第２リブ６の全部又は一部は一体化されていてもよい。すなわち、量水器固定装置１は、台部材２、第１カバー部材３、第２カバー部材４、第１リブ５及び第２リブ６の全部又は一部が一体として製造されたものであってもよい。
【００３７】
上述した実施の形態では、第１リブ５及び第２リブ６はいずれも板状の部材である。しかしながら、第１リブ５及び第２リブ６の一方又は双方は板状の部材でなくてもよい。例えば、第１リブ５及び第２リブ６の一方又は双方は棒状の部材であってもよい。いずれにしても、第１リブ５は台部材２と第１カバー部材３の外面部とを接続し、第２リブ６は台部材２と第２カバー部材４の外面部とを接続する。
【００３８】
上述した実施の形態では、量水器固定装置１は第１リブ５及び第２リブ６を有する。しかしながら、量水器固定装置１は第１リブ５及び第２リブ６の一方又は双方を有さなくてもよい。例えば、第１カバー部材３及び第２カバー部材４が鉄鋼等の金属材料により形成されていたり、第１カバー部材３及び第２カバー部材４の厚さが厚かったりして、第１カバー部材３及び第２カバー部材４の機械的強度が大きい場合、量水器固定装置１は第１リブ５及び第２リブ６を有さなくてもよい。
【００３９】
上述した実施の形態では、量水器固定装置１の大きさについて言及していない。量水器固定装置１の大きさは、量水器Ａの大きさに対応する。量水器Ａには本体部分Ａ１の外周が１３ｍｍ、２０ｍｍ及び２５ｍｍというように大きさが異なる複数のものが存在する。そのため、第１カバー部材３と第２カバー部材４とによって形成される空間の大きさが量水器Ａの本体部分Ａ１の各外周に対応する複数種類の量水器固定装置１を予め用意しておき、量水器Ａの大きさに対応した量水器固定装置１を用いる。具体的には、第１カバー部材３と第２カバー部材４とによって形成される空間の外周が量水器Ａにおける本体部分Ａ１の外周より僅かに大きい量水器固定装置１を、量水器Ａの大きさに対応した量水器固定装置１として用いる。例えば、量水器Ａにおける本体部分Ａ１の外周が２０ｍｍであれば、第１カバー部材３と第２カバー部材４とによって形成される空間の外周が２２ｍｍである量水器固定装置１を用いる。
【００４０】
上述した実施の形態では、量水器固定装置１は量水器ボックスＢの底部Ｂ１に取り付けられている。しかしながら、量水器固定装置１は底部Ｂ１に取り付けられておらず、底部Ｂ１に載置されるだけであってもよい。本願では、量水器固定装置１を量水器ボックスＢの底部Ｂ１に取り付けることは、文字通り量水器固定装置１を底部Ｂ１に取り付けることを含むのに加え、量水器固定装置１を底部Ｂ１に載置することも含む。さらに、量水器固定装置１は、既設の量水器ボックスＢの底部Ｂ１に取り付けることも、新設の量水器ボックスＢに取り付けることも可能である。
【００４１】
上述した実施の形態では、量水器Ａを交換する場合について説明した。しかしながら、量水器Ａが故障して量水器Ａを修理する場合についても、量水器Ａを量水器ボックスＢから取り出し、量水器Ａを修理した後に量水器ボックスＢに戻すので、量水器Ａを交換する場合と同様に、修理後の量水器Ａを量水器ボックスＢの内部の予め決められた位置に容易に固定することができる。加えて、短時間で、修理後の量水器Ａを量水器ボックスＢの内部の予め決められた位置に固定することができる。
【００４２】
本発明は上述の実施の形態に限定されるものではなく、実施の形態は本発明の趣旨に基づき種々の変形が可能であり、変形例を本発明の技術的範囲から排除しない。
【産業上の利用可能性】
【００４３】
本発明は、量水器を量水器ボックスの内部の予め決められた位置に固定するための量水器固定装置に関するので産業上の利用可能性を有する。
【符号の説明】
【００４４】
１  量水器固定装置
２  台部材
３  第１カバー部材
４  第２カバー部材
５  第１リブ
６  第２リブ
７  第１隙間
８  第２隙間
Ａ  量水器
Ａ１  本体部分
Ａ２  流入側接続用管
Ａ３  流出側接続用管
Ｂ  量水器ボックス
Ｂ１  底部
Ｂ２  筒部
Ｂ３  蓋部材
Ｂ４  上部
Ｂ５  下部
Ｂ２１  給水管用孔
Ｂ２２  取水管用孔
ｈ  高さ
【図１】
2014109094.tif 000003
【図２】
2014109094.tif 000004
【図３】
2014109094.tif 000005
【図４】
2014109094.tif 000006
【図５】
2014109094.tif 000007
【図６】
2014109094.tif 000008